(57)【要約】【課題】  家庭用映像機器が対象でなかった。【解決手段】  外部接続機器はテレビ１０やＤＶＤ２０が該当し、通信インターフェイス１１，２１を介してセットアップデータを外部より読み書き可能(S104〜S106)である。コントロール機器はハードディスクレコーダー３０が該当し、通信インターフェイス３１を介して上記外部接続機器と通信し、各外部接続機器の上記セットアップデータを読み書き可能(S206,S208,S214,S216)であり、また、ネットワーク接続用インターフェイス３７を介して入力される指示に基づいて上記外部接続機器と自機におけるセットアップデータを読み書き可能(S210,S212)である。サービス機器５０はネットワーク接続用インターフェイスを備え、同ネットワーク接続用インターフェイスを介して上記コントロール機器であるハードディスクレコーダー３０に指示を出力し、同コントロール機器や上記外部接続機器におけるセットアップデータを読み書き可能(S308,S314)である。【選択図】  図１
2007060081.tif 000002
【特許請求の範囲】
【請求項１】
映像音響機器であり、通信インターフェイスと、初期設定で設定される所定のセットアップデータを記憶する記憶領域とを備えるとともに、上記通信インターフェイスを介して上記セットアップデータを外部より読み書き可能な外部接続機器と、
記憶領域としてハードディスクを備えたＨＤＤレコーダーであり、外部接続機器用セットアップデータ領域と、内部セットアップデータ用領域を当該ハードディスクに備えるとともに、上記外部接続機器と通信する通信インターフェイスと、ネットワークを経由する通信を行うネットワーク接続用インターフェイスとを備え、上記通信インターフェイスを介して上記外部接続機器と通信し、同外部接続機器の上記セットアップデータを上記外部接続機器用セットアップデータ領域に読み込み、または同外部接続機器用セットアップデータ領域の上記セットアップデータを同外部接続機器に書き込むことが可能であり、上記ネットワーク接続用インターフェイスを介して入力される指示に基づいて上記外部接続機器用セットアップデータ領域のセットアップデータと上記セットアップデータ用領域のセットアップデータを読み書き可能であり、上記外部接続機器の上記セットアップデータを上記外部接続機器用セットアップデータ領域に読み込んだ後、上記サービス機器にて読み込まれて修正後に書き込まれたセットアップデータを、同外部接続機器に書き込むコントロール機器と、
ネットワーク接続用インターフェイスを備え、インターネットを経由しつつ同ネットワーク接続用インターフェイスを介して上記コントロール機器に指示を出力し、同コントロール機器や上記外部接続機器におけるセットアップデータを読み書きして遠隔のセンターからリモートで保守可能なサービス機器とを具備し、
上記サービス機器は、上記外部接続機器と上記コントロール機器の設置位置に関する情報を取得し、上記読み込んだセットアップデータに基づいてチャンネルプランに矛盾がないか判断し、矛盾があれば統一したチャンネルプランに基づくセットアップデータを生成して各機器に書き込むことを特徴とする映像音響機器リモートセットアップシステム。
【請求項２】
映像音響機器であり、通信インターフェイスを備えるとともに、当該通信インターフェイスを介してセットアップデータを外部より読み書き可能な外部接続機器と、
映像音響機器であり、通信インターフェイスと、上記通信インターフェイスを介して上記外部接続機器と通信し、各外部接続機器の上記セットアップデータを読み書き可能であり、また、ネットワーク接続用インターフェイスを備え、このネットワーク接続用インターフェイスを介して入力される指示に基づいて上記外部接続機器と自機におけるセットアップデータを読み書き可能なコントロール機器と、
ネットワーク接続用インターフェイスを備え、このネットワーク接続用インターフェイスを介して上記コントロール機器に指示を出力し、同コントロール機器や上記外部接続機器におけるセットアップデータを読み書き可能なサービス機器とを具備することを特徴とする映像音響機器リモートセットアップシステム。
【請求項３】
上記コントロール機器は、外部接続機器用セットアップデータ領域と、内部セットアップデータ用領域とを備え、
上記通信インターフェイスを介して上記外部接続機器と通信し、同外部接続機器の上記セットアップデータを上記外部接続機器用セットアップデータ領域に読み込み、または同外部接続機器用セットアップデータ領域の上記セットアップデータを同外部接続機器に書き込むことが可能であり、
上記ネットワーク接続用インターフェイスを介して入力される指示に基づいて上記外部接続機器用セットアップデータ領域のセットアップデータと上記セットアップデータ用領域のセットアップデータを読み書き可能であり、
上記外部接続機器の上記セットアップデータを上記外部接続機器用セットアップデータ領域に読み込んだ後、上記サービス機器にて読み込まれて修正後に書き込まれたセットアップデータを、同外部接続機器に書き込むことを特徴とする上請求項２に記載の映像音響機器リモートセットアップシステム。
【請求項４】
上記コントロール機器は、記憶容量が豊富なＨＤＤレコーダーであって、記憶領域としてハードディスクを備え、上記外部接続機器用セットアップデータ領域と、内部セットアップデータ用領域は、当該ハードディスクに設けられていることを特徴とする上請求項３に記載の映像音響機器リモートセットアップシステム。
【請求項５】
上記サービス機器は、上記外部接続機器と上記コントロール機器の上記セットアップデータを読み込み、各機器の間に矛盾がないか判断し、矛盾があれば統一を図り、統一されたセットアップデータを各機器に書き込むことを特徴とする上記請求項２〜請求項４のいずれかに記載の映像音響機器リモートセットアップシステム。
【請求項６】
上記サービス機器は、上記外部接続機器と上記コントロール機器の設置位置に関する情報を取得し、上記セットアップデータに基づいてチャンネルプランに矛盾がないか判断し、矛盾があれば統一したチャンネルプランに基づくセットアップデータを生成して各機器に書き込むことを特徴とする上記請求項５に記載の映像音響機器リモートセットアップシステム。
【発明の詳細な説明】
【技術分野】
【０００１】
本発明は、リモートセットアップシステムに関し、特に、映像音響機器リモートセットアップシステムに関する。
【背景技術】
【０００２】
従来、遠隔地より通信経路を介して機器に何らかのパラメータなどの設定を行うものとして、特許文献１〜特許文献３に開示させたものが知られている。
特許文献１，２は、設定される側の機器が直に設定する側の機器に接続されるものを開示し、特許文献３は、遠隔地との通信手段を備えない機器を遠隔地との通信手段を備えた機器を介して接続すものを開示している。
【特許文献１】特開２００４−３６３６４６号公報
【特許文献２】特開平１１−３２１９８号公報
【特許文献３】特開２００１−２４９８９９号公報
【発明の開示】
【発明が解決しようとする課題】
【０００３】
上述した従来の映像音響機器リモートセットアップシステムにおいては、オフィス機器などを対象とし、各家庭で使用するような映像機器を対象とするものではなかった。
本発明は、上記課題にかんがみてなされたもので、各家庭で使用するような映像機器を対象として手軽に利用することが可能な映像音響機器リモートセットアップシステムを目的とする。
【課題を解決するための手段】
【０００４】
上記目的を達成するため、請求項２にかかる発明は、
映像音響機器であり、通信インターフェイスを備えるとともに、当該通信インターフェイスを介してセットアップデータを外部より読み書き可能な外部接続機器と、
映像音響機器であり、通信インターフェイスと、上記通信インターフェイスを介して上記外部接続機器と通信し、各外部接続機器の上記セットアップデータを読み書き可能であり、また、ネットワーク接続用インターフェイスを備え、このネットワーク接続用インターフェイスを介して入力される指示に基づいて上記外部接続機器と自機におけるセットアップデータを読み書き可能なコントロール機器と、
ネットワーク接続用インターフェイスを備え、このネットワーク接続用インターフェイスを介して上記コントロール機器に指示を出力し、同コントロール機器や上記外部接続機器におけるセットアップデータを読み書き可能なサービス機器とを具備する構成としてある。
【０００５】
上記のように構成した請求項２にかかる発明においては、外部接続機器としての各映像音響機器が通信インターフェイスを備え、同様に映像音響機器としてのコントロール機器と通信インターフェイスを介して接続されて、当該コントロール機器から各外部接続機器の上記セットアップデータを読み書き可能となっており、さらに、ネットワーク接続用インターフェイスを備えたサービス機器は、同じくネットワーク接続用インターフェイスを備えた上記コントロール機器に指示を出力し、同コントロール機器や上記外部接続機器におけるセットアップデータを読み書きする。
【発明の効果】
【０００６】
以上説明したように本発明は、外部より映像音響機器のセットアップデータを設定できるので、自動で完了できなかったようなセットアップデータも外部より容易に設定し直すことが可能な映像音響機器リモートセットアップシステムを提供することができる。
また、請求項３にかかる発明によれば、一旦外部接続機器のセットアップデータを一カ所に保存して集中的に管理するので、管理が容易になったり、通信エラーによるデータの破壊の危険性を減らすことができる。
さらに、請求項４にかかる発明によれば、大容量のハードディスクを記憶領域としと使用するため、容量の確保が用意、かつ、低コストで実現できる。
さらに、請求項５にかかる発明によれば、複数の映像音響機器の設定で頻繁に生じがちなチャンネルプリセットデータを容易に統一することができる。
さらに、請求項６にかかる発明によれば、チャンネルプリセットデータを住所の情報に基づいて設定するので誤りのないチャンネルプランとすることができる。
【発明を実施するための最良の形態】
【０００７】
以下、図面にもとづいて本発明の実施形態を説明する。
図１は、本発明の一実施形態にかかる映像音響機器リモートセットアップシステムをブロック図により示している。
同図において、テレビ（ＴＶ）１０と、デジタルビデオディスクプレーヤー（ＤＶＤ）２０と、ハードディスクレコーダー（ＨＤＤ−ＲＥＣ）３０とが、通信ケーブル４１を介して接続されている。
図２は、テレビ１０とデジタルビデオディスクプレーヤー２０における通信回路のブロック図であり、通信ケーブル４１が接続される通信インターフェイス１１，２１と、この通信インターフェイス１１，２１などが接続されるバス１２，２２と、通信制御を含めた各種の制御を行うＣＰＵ１３，２３と、通信プログラムなどの制御プログラムが書き込まれたＲＯＭ１４，２４と、チャンネルプリセットデータを含む各種のセットアップデータなどを記憶するＲＡＭ１５，２５から構成されている。
【０００８】
ＣＰＵ１３，２３は、ＲＯＭ１３，２３に書き込まれた通信制御プログラムに基づき通信インターフェイス１１，２１を制御し、同通信インターフェイス１１，２１を介するセットアップデータのＲＡＭ１５，２５への読み書きを実行させる。
【０００９】
一方、図３は、ハードディスクレコーダー３０における通信回路のブロック図であり、通信ケーブル４１が接続される通信インターフェイス３１と、この通信インターフェイス３１などが接続されるバス３２と、通信制御を含めた各種の制御を行うＣＰＵ３３と、通信プログラムなどの制御プログラムが書き込まれたＲＯＭ３４と、各種の変数やチャンネルプリセットデータを含む各種のセットアップデータなどを記憶するＲＡＭ３５と、当該ハードディスクレコーダー３０のチャンネルプリセットデータを含む自機のセットアップデータを記憶する自機用セットアップデータエリア３６ａと、テレビ１０やデジタルビデオディスクプレーヤー２０などの外部接続機器のセットアップデータを記憶する外部接続機器用セットアップデータエリア３６ｂを有し、主には映像や音声を記憶するハードディスク３６と、インターネットのネットワークに接続するためのネットワーク接続用インターフェイス３７とから構成されている。
【００１０】
ＣＰＵ３３は、ＲＯＭ３３に書き込まれた通信制御プログラムに基づき通信インターフェイス３１を制御し、同通信インターフェイス３１を介するセットアップデータのＲＡＭ３５への読み書きを実行させる。また、ＲＯＭ３３に書き込まれたネットワーク接続用の通信制御プログラムに基づきネットワーク接続用インターフェイス３７を制御し、同ネットワーク接続用インターフェイス３７を介するセットアップデータの自機用セットアップデータエリア３６ａと外部接続機器用セットアップデータエリア３６ｂへの読み書きを実行させる。また、ＲＯＭ３３に書き込まれた更新用プログラムに基づき、ＲＡＭ１５，２５，３５と、自機用セットアップデータエリア３６ａと外部接続機器用セットアップデータエリア３６ｂとの間で通信を介して最新のセットアップデータをＲＡＭ１５，２５，３５上に更新するようにしている。
【００１１】
以上において、テレビ１０とデジタルビデオディスクプレーヤー２０は外部接続器であり、ハードディスクレコーダー３０がコントロール機器である。
ハードディスクレコーダー３０のネットワーク接続用インターフェイス３７が接続されるインターネット４０には、上記テレビ１０とデジタルビデオディスクプレーヤー２０とハードディスクレコーダー３０のサポートセンターであるサービス機器５０も接続されている。
【００１２】
次に、上記構成からなる本実施形態の動作を説明する。
図４は、外部接続器であるテレビ１０とデジタルビデオディスクプレーヤー２０における通信制御プログラムを示している。ステップＳ１０２では、ＣＰＵ１３，２３はバス１２，２２を介して通信インターフェイス１１，２１を監視し、自分宛の通信が開始されたか否かを判断する。自分宛の通信が開始されたら、ステップＳ１０４ではセットアップデータ（設定情報）の読み出しを要求させたのか否かを判断し、読出要求であればステップＳ１０６にてＲＡＭ１５，２５からセットアップデータ（設定情報）を読み出し、通信インターフェイス１１，２１を介して送信する。
【００１３】
一方、読出要求であなければ、ステップＳ１０８ではセットアップデータ（設定情報）の書き込みを要求させたのか否かを判断し、書込要求であればステップＳ１１０にて通信インターフェイス１１，２１を介してセットアップデータ（設定情報）を受信し、ＲＡＭ１５，２５に書き込む。
セットアップデータ（設定情報）を書き込んだときはそのセットアップデータ（設定情報）を使用して動作させる必要があり、それには本体をリセットさせる必要がある。このため、ステップＳ１１２では、自分宛の通信が本体のリセットの要求であるのか否かを判断し、リセット要求であればステップＳ１１４にて本体をリセットする。
【００１４】
また、ステップＳ１１６では、自分宛の通信が通信終了を意味するのか否かを判断し、通信終了であればステップＳ１０２に戻って通信の開始を待機するし、通信の終了の要求でなければステップＳ１０４に戻って要求を待ち受ける。
このようにすれば、通信ケーブル４１を介してセットアップデータ（設定情報）の外部機器への読み書きが可能となる。
【００１５】
図５は、コントロール機器であるハードディスクレコーダー３０における通信制御プログラムを示している。ステップＳ２０２では、ＣＰＵ３３はバス３２を介してネットワーク接続用インターフェイス３７を監視し、サービス機器５０からの自分宛の通信が開始されたか否かを判断する。自分宛の通信が開始されたら、ステップＳ２０４ではサービス側からの読込コマンドあるか否かを判断し、読込コマンドであればステップＳ２０６にて指定された外部機器におけるＲＡＭ１５，２５，３５からセットアップデータ（設定情報）を読み出し、ステップＳ２０８にて一旦同セットアップデータをハードディスク３６上の所定の領域（自機用セットアップデータエリア３６ａと外部接続機器用セットアップデータエリア３６ｂ）に保存する。それに続き、ステップＳ２１０にて自機用セットアップデータエリア３６ａと外部接続機器用セットアップデータエリア３６ｂに記憶されている中から必要とされたセットアップデータをサービス機器５０に接続する。
【００１６】
一方、ステップＳ２０４ではサービス側からの読込コマンドないと判断したときは、ステップＳ２１１ではサービス側からの書込コマンドあるか否かを判断し、書込コマンドであればステップＳ２１２にてネットワーク接続用インターフェイス３７を介してサービス機器５０からセットアップデータを受信し、一旦同セットアップデータをハードディスク３６上の所定の領域（自機用セットアップデータエリア３６ａと外部接続機器用セットアップデータエリア３６ｂ）に保存する。それに続き、ステップＳ２１４にて指定された外部機器におけるＲＡＭ１５，２５，３５に同セットアップデータを書き込む。そして、この書き込んだセットアップデータを活かすためにステップＳ２１６にて指定された外部機器に本体リセットの要求を出力する。
【００１７】
ステップＳ２１８では、サービス機器５０からの自分宛の通信がネットワーク接続終了の要求であるか否かを判断し、接続終了であればステップＳ２０２に戻ってネットワーク接続の開始を待機するし、接続終了の要求でなければステップＳ２０４に戻って要求を待ち受ける。
以上によって、サービス機器５０はコントロール機器のハードディスク３６上における所定の領域を介してコントロール機器および外部接続機器のセットアップデータの読み書きを行うことができるようになる。
【００１８】
図６は、サービス機器５０における制御プログラムを示している。
ステップＳ３０２では、ネットワーク接続を開始すべきか否かを判断する。本発明のような映像音響機器リモートセットアップシステムは、複数の外部接続機器を所有するエンドユーザーがメーカーのユーザーサポートに電話をして操作方法などを問合せる場合に利用される。
【００１９】
ユーザーサポートでは、ユーザーからの電話での問い合わせを受けると、相手を特定した上で、ステップＳ３０２にてネットワーク接続を開始する。
この実施例では、一例として、複数の機器でチャンネルプリセットデータの矛盾を解消する例を示している。
ステップＳ３０４にてユーザー登録情報を取得し、ステップＳ３０６では対応する住所のチャンネルプランを取得する。住所が特定されれば機器に設定されるべきチャンネルプリセットデータは統一されるべきであるが、不慣れなユーザーが自動設定操作を中断させるなどした結果、複数の機器でチャンネルプリセットデータが統一されていないことがあるからである。
【００２０】
ステップＳ３０８では、サービス機器５０の側からユーザーの側のすべての接続機器に対してセットアップデータの読み込みを行う。コントロール機器の処理はステップＳ２０４，Ｓ２０６，Ｓ２０８，Ｓ２１０であり、対応するコマンドを送信し、セットアップデータの受信を行う。そして、すべての接続機器に対してセットアップデータの読み込みを行なったら、ステップＳ３１０にてチャンネルプリセットデータに矛盾があるか否かを判断する。
【００２１】
矛盾がある場合にはステップＳ３１２にて各接続機器のチャンネルプリセットデータを生成し、ステップＳ３１４にて同生成したチャンネルプリセットデータを各接続機器に書き込む。チャンネルプリセットデータを生成するとき、その指針として住所に基づいた統一したチャンネルプリセットデータを生成するものと、すでに設定されている多数の情報を優先するものとがある。通常は前者で良いが、希に異なるチャンネルプランの境界近辺では住所に対応するチャンネルプランではなく、隣接する住所のチャンネルプランの方が良いといえることもある。このため、どちらの指針で行くかは選択できるようにしておくのが好ましい。
【００２２】
生成したチャンネルプリセットデータを各接続機器に書き込む際のコントロール機器の処理はステップＳ２１１，Ｓ２１２，Ｓ２１４，Ｓ２１６であり、対応するコマンドを送信し、セットアップデータの送信を行う。
ステップＳ３１６では他の基準でセットアップデータを設定する処理を行う。そして、すべての処理が終了するまでステップＳ３１６を繰り返し、処理を終了する段階でステップＳ３０２に戻る。
【００２３】
他のセットアップデータの設定の一例として図７に示すように各接続ポートの入出力特性をセットアップデータに基づいて選択できるようにしたものがあげられる。テレビ１０には、ビデオ（Ｖ）、右音声（Ｒ）、左音声（Ｌ）として、それぞれ入力と出力とがある。ユーザーが適切に接続できなかったとしてもセットアップデータで二つの接続ポートの入出力特性を切り替えることで正しい接続とすることができる。
同様にハードディスクレコーダー３０にはそれぞれ入力と出力とが二組ずつある。ユーザーが適切に接続できなかったとしてもセットアップデータで四つの接続ポートの入出力特性を切り替えることで正しい接続とすることができる。
【００２４】
このように、上述したように本実施例に対応する請求項２にかかる発明は、
映像音響機器であり、通信インターフェイスを備えるとともに、当該通信インターフェイスを介してセットアップデータを外部より読み書き可能な外部接続機器と、
映像音響機器であり、通信インターフェイスと、上記通信インターフェイスを介して上記外部接続機器と通信し、各外部接続機器の上記セットアップデータを読み書き可能であり、また、ネットワーク接続用インターフェイスを備え、このネットワーク接続用インターフェイスを介して入力される指示に基づいて上記外部接続機器と自機におけるセットアップデータを読み書き可能なコントロール機器と、
ネットワーク接続用インターフェイスを備え、このネットワーク接続用インターフェイスを介して上記コントロール機器に指示を出力し、同コントロール機器や上記外部接続機器におけるセットアップデータを読み書き可能なサービス機器とを具備する構成としてある。
【００２５】
ここで、外部接続機器としては、テレビ１０やデジタルビデオディスクプレーヤー２０という映像音響機器が該当し、通信インターフェイス１１，２１を備えるとともに、当該通信インターフェイス１１，２１を介してセットアップデータを外部より読み書き可能（Ｓ１０４〜Ｓ１０６）となっている。
コントロール機器としてはハードディスクレコーダー３０という映像音響機器が該当し、通信インターフェイス３１と、上記通信インターフェイス３１を介して上記外部接続機器と通信し、各外部接続機器の上記セットアップデータを読み書き可能（Ｓ２０６，Ｓ２０８，Ｓ２１４，Ｓ２１６）であり、また、ネットワーク接続用インターフェイス３７を備え、このネットワーク接続用インターフェイス３７を介して入力される指示に基づいて上記外部接続機器と自機におけるセットアップデータを読み書き可能（Ｓ２１０，Ｓ２１２）となっている。
【００２６】
そして、サービス機器５０は、図示しないネットワーク接続用インターフェイスを備え、このネットワーク接続用インターフェイスを介して上記コントロール機器であるハードディスクレコーダー３０に指示を出力し、同コントロール機器や上記外部接続機器におけるセットアップデータを読み書き可能（Ｓ３０８，Ｓ３１４）てなっている。
【００２７】
また、請求項３にかかる発明では、上請求項２に記載の映像音響機器リモートセットアップシステムにおいて、
上記コントロール機器は、外部接続機器用セットアップデータ領域と、内部セットアップデータ用領域とを備え、
上記通信インターフェイスを介して上記外部接続機器と通信し、同外部接続機器の上記セットアップデータを上記外部接続機器用セットアップデータ領域に読み込み、または同外部接続機器用セットアップデータ領域の上記セットアップデータを同外部接続機器に書き込むことが可能であり、
上記ネットワーク接続用インターフェイスを介して入力される指示に基づいて上記外部接続機器用セットアップデータ領域のセットアップデータと上記セットアップデータ用領域のセットアップデータを読み書き可能であり、
上記外部接続機器の上記セットアップデータを上記外部接続機器用セットアップデータ領域に読み込んだ後、上記サービス機器にて読み込まれて修正後に書き込まれたセットアップデータを、同外部接続機器に書き込む構成としてある。
【００２８】
ここで、上記コントロール機器が備える外部接続機器用セットアップデータ領域は外部接続機器用セットアップデータエリア３６ｂであり、内部セットアップデータ用領域は自機用セットアップデータエリア３６ａである。
上記コントロール機器は、上記通信インターフェイス３１を介して上記外部接続機器と通信し、同外部接続機器の上記セットアップデータを上記外部接続機器用セットアップデータ領域に読み込み（Ｓ２０６）、または同外部接続機器用セットアップデータ領域の上記セットアップデータを同外部接続機器に書き込む（Ｓ２１４）ことが可能であり、上記外部接続機器の上記セットアップデータを上記外部接続機器用セットアップデータ領域に読み込んだ後（Ｓ２０６，Ｓ２０８）、上記サービス機器にて読み込まれ（Ｓ３０８）て修正（Ｓ３１２）後に書き込まれた（Ｓ３１４）セットアップデータを、同外部接続機器に書き込ん（Ｓ２１４）でいる。
【００２９】
さらに、請求項４にかかる発明は、上請求項３に記載の映像音響機器リモートセットアップシステムにおいて、
上記コントロール機器は、記憶容量が豊富なＨＤＤレコーダーであって、記憶領域としてハードディスクを備え、上記外部接続機器用セットアップデータ領域と、内部セットアップデータ用領域は、当該ハードディスクに設けられている構成としてある。
ここで、上記外部接続機器用セットアップデータ領域は外部接続機器用セットアップデータエリア３６ｂであり、内部セットアップデータ用領域は自機用セットアップデータエリア３６ａであり、ハードディスク３６に設けられている。
【００３０】
さらに、請求項５にかかる発明は、請求項２〜請求項４のいずれかに記載の映像音響機器リモートセットアップシステムにおいて、
上記サービス機器は、上記外部接続機器と上記コントロール機器の上記セットアップデータを読み込み、各機器の間に矛盾がないか判断し、矛盾があれば統一を図り、統一されたセットアップデータを各機器に書き込む構成としてある。
ここで、上記サービス機器５０は、上記外部接続機器と上記コントロール機器の上記セットアップデータを読み込み（Ｓ３０８）、各機器の間に矛盾がないか判断し（Ｓ３１０））、矛盾があれば統一を図り（Ｓ３１２）、統一されたセットアップデータを各機器に書き込む（Ｓ３１４）。
【００３１】
さらに、請求項６にかかる発明は、上記請求項５に記載の映像音響機器リモートセットアップシステムにおいて、
上記サービス機器は、上記外部接続機器と上記コントロール機器の設置位置に関する情報を取得し、上記セットアップデータに基づいてチャンネルプランに矛盾がないか判断し、矛盾があれば統一したチャンネルプランに基づくセットアップデータを生成して各機器に書き込む構成としてある。
ここで、上記サービス機器５０は、上記外部接続機器と上記コントロール機器の設置位置に関する情報として住所を取得し（Ｓ３０４）、上記セットアップデータに基づいてチャンネルプランに矛盾がないか判断し（Ｓ３１０）、矛盾があれば統一したチャンネルプランに基づくセットアップデータを生成して（Ｓ３０６，Ｓ３１２）各機器に書き込んでいる（Ｓ３１４）。
【図面の簡単な説明】
【００３２】
【図１】本発明の一実施形態にかかる映像音響機器リモートセットアップシステムのブロック図である。
【図２】外部接続機器の通信回路周辺のブロック図である。
【図３】コントロール機器の通信回路周辺のブロック図である。
【図４】外部接続機器の通信制御プログラムのフローチャートである。
【図５】コントロール機器の通信制御プログラムのフローチャートである。
【図６】サービス機器の通信制御プログラムのフローチャートである。
【図７】セットアップデータの他の設定例に関わる接続ポートのブロック図である。
【符号の説明】
【００３３】
１０…テレビ（ＴＶ）
２０…デジタルビデオディスクプレーヤー（ＤＶＤ）
１１，２１…通信インターフェイス
１２，２２…バス
１３，２３…ＣＰＵ
１４，２４…ＲＯＭ
１５，２５…ＲＡＭ
３０…ハードディスクレコーダー（ＨＤＤ−ＲＥＣ）
３１…通信インターフェイス
３２…バス
３３…ＣＰＵ
３４…ＲＯＭ
３５…ＲＡＭ
３６…ハードディスク
３６ａ…自機用セットアップデータエリア
３６ｂ…外部接続機器用セットアップデータエリア
３７…ネットワーク接続用インターフェイス
４１…通信ケーブル
４０…インターネット
５０…サービス機器
【図１】
2007060081.tif 000003
【図２】
2007060081.tif 000004
【図３】
2007060081.tif 000005
【図４】
2007060081.tif 000006
【図５】
2007060081.tif 000007
【図６】
2007060081.tif 000008
【図７】
2007060081.tif 000009